(57)【要約】【課題】実際の配線を変更することなく、点滅区分及び調光区分を簡単に変更可能にする。【解決手段】有線伝送路と無線伝送路との間で情報を中継する通信ユニットと；前記無線伝送路を介して通信が可能で、前記有線伝送路に接続された一つ以上の照明器具を含む複数の端末との間で前記通信ユニットを介して通信を行う制御部と；を具備し、前記制御部は、１つ以上の端末によって構成された複数のグループに対し、制御の開始及び停止を同時に行うグループを規定したゾーンデータと、制御が開始されたグループに対して、共通の制御内容を適用するグループを規定したリンクデータとを用いて前記端末を制御することを特徴とする。【選択図】図１
2009021141.tif 000002
【特許請求の範囲】
【請求項１】
有線伝送路と無線伝送路との間で情報を中継する通信ユニットと；
前記無線伝送路を介して通信が可能で、前記有線伝送路に接続された一つ以上の照明器具を含む複数の端末との間で前記通信ユニットを介して通信を行う制御部と；
を具備し、
前記制御部は、
１つ以上の端末によって構成された複数のグループに対し、制御の開始及び停止を同時に行うグループを規定したゾーンデータと、制御が開始されたグループに対して、共通の制御内容を適用するグループを規定したリンクデータとを用いて前記端末を制御する
ことを特徴とする照明制御装置。
【請求項２】
前記ゾーンデータは、前記照明器具の点滅を制御するためのスイッチと対応付けされると共に、
前記リンクデータは、検出信号に基づいて前記照明器具の出力を制御するセンサからなるグループと前記照明器具からなるグループとを含んで規定されていることを特徴とする請求項１に記載の照明制御装置。
【請求項３】
前記制御部は、規定されたグループが異なる複数のリンクデータを有し、所定のスケジュールに従って前記リンクデータを切り換えることを特徴とする請求項１又は２のいずれか一方に記載の照明制御装置。
【発明の詳細な説明】
【技術分野】
【０００１】
本発明は、制御部により照明負荷を遠隔制御する照明制御装置に関する。
【背景技術】
【０００２】
従来、例えば、オフィスビルや各種施設などでは、各フロアや各エリアなどの照明エリア毎に設置される照明器具などの照明負荷を遠隔制御する照明制御装置が採用されている。
【０００３】
この照明制御装置では、１つの制御部と複数の子局とが無線ネットワークを通じて通信し、制御部からの制御で各子局が備えた照明負荷を制御している（例えば、特許文献１参照。）。
【０００４】
また、１つの親機に伝送線を通じて複数の子機を通信可能に接続し、親機からの制御で各子機の照明負荷を制御する有線方式も既知である。このように、全ての機器間で有線方式を用いた照明制御装置として、例えば特許文献２に開示されたものがある。この提案では、適宜の配線を施すことで、各照明機器を同時にオン，オフ制御する範囲（以下、点滅区分という）を設定可能であると共に、各照明機器を同時に調光制御する範囲（以下、調光区分という）を設定可能である。
【０００５】
例えば、壁スイッチ等を操作することで点滅区分毎にオン，オフ制御が可能であり、明るさセンサ等の出力を用いることで調光区分毎に明るさ制御が可能である。
【特許文献１】特表平１１−５１４８２９号公報（第１５頁、図２）
【特許文献２】特開２００３−６８４７４号公報
【発明の開示】
【発明が解決しようとする課題】
【０００６】
上述のように、全ての機器間を無線ネットワークを用いた照明制御装置の場合、配線の必要がなく照明負荷の設置場所の自由度が高い。しかしながら、例えば無線の届かない場所や障害物などで無線が届きにくい場所には照明負荷を設置できない問題がある。
【０００７】
一方、特許文献２の技術では、伝送線を配線できればどのような場所にも照明負荷を設置でき、しかも、点滅区分と調光区分とに対する制御が可能である。
【０００８】
しかしながら、照明制御装置の構成を変えると、追加装置の設置工事とは別に、大規模な配線工事が必要になる問題がある。
【０００９】
本発明は、かかる問題点に鑑みてなされたものであって、全ての機器間を無線ネットワークで接続した場合や有線ネットワークで接続した場合の問題点を解消し、照明負荷の設置場所の自由度が高く、かつ比較的少ない配線工事で、点滅区分及び調光区分を自由に設定及び変更することができる照明制御装置を提供することを目的とする。
【課題を解決するための手段】
【００１０】
請求項１記載の照明制御装置は、有線伝送路と無線伝送路との間で情報を中継する通信ユニットと；前記無線伝送路を介して通信が可能で、前記有線伝送路に接続された一つ以上の照明器具を含む複数の端末との間で前記通信ユニットを介して通信を行う制御部と；を具備し、前記制御部は、１つ以上の端末によって構成された複数のグループに対し、制御の開始及び停止を同時に行うグループを規定したゾーンデータと、制御が開始されたグループに対して、共通の制御内容を適用するグループを規定したリンクデータとを用いて前記端末を制御するものである。
【００１１】
請求項２記載の照明制御装置は、前記ゾーンデータは、前記照明器具の点滅を制御するためのスイッチと対応付けされると共に、前記リンクデータは、検出信号に基づいて前記照明器具の出力を制御するセンサからなるグループと前記照明器具からなるグループとを含んで規定されているものである。
【００１２】
請求項３記載の照明制御装置は、前記制御部は、規定されたグループが異なる複数のリンクデータを有し、所定のスケジュールに従って前記リンクデータを切り換えることを特徴とするものである。
【００１３】
そして、照明制御装置において、通信ユニットは、有線伝送路と無線伝送路との間で情報を中継する。有線伝送路には端末が接続され、端末からの情報は通信ユニットから無線伝送路を介して制御部に伝送される。制御部は、ゾーンデータ及びリンクデータを有し、端末からの情報に基づいて制御の開始及び停止を同時に行うグループを決定すると共に、具体的な制御の内容を適用するグループを決定する。制御部はこの決定に応じた信号を送信し、各端末は制御部からの信号に応じて点灯が制御される。ゾーンデータ及びリンクデータによって点滅区分及び調光区分が設定されることになり、実際の配線を変更することなく、簡単に点滅区分及び調光区分を変更可能である。
【発明の効果】
【００１４】
本発明によれば、全ての機器間を無線ネットワークで接続した場合や有線ネットワークで接続した場合の問題点を解消し、照明負荷の設置場所の自由度が高く、かつ比較的少ない配線工事で、点滅区分及び調光区分を自由に設定及び変更することができるという効果を有する。
【発明を実施するための最良の形態】
【００１５】
以下、図面を参照して本発明の実施の形態について詳細に説明する。
【００１６】
図１は第１の実施の形態に係る照明制御装置が組込まれた照明制御システムの構成を示す構成図である。図２は図１の照明制御装置の各端末の配置を説明するための説明図である。
【００１７】
図１に示す照明制御装置システムは、例えば、オフィスビルや各種施設などの各フロアや各エリアなどの照明エリア毎に設置される複数の照明器具などの照明負荷を遠隔制御したり、所定の照明エリア内の人体を検出する人感センサＳＳ、所定の照明エリア内の照度を測定する照度センサＳＬ、照明負荷を手動で切換指令する壁スイッチＳＷなどを遠隔監視して複数の照明負荷を集中制御するものである。照明負荷としては、例えば、ランプや発光ダイオードなどの光源を用いた照明器具Ｋが用いられる。
【００１８】
図１の照明制御装置は、１つのコントローラであるエリア制御部１１とゲートウェイ機能を有する複数の通信ユニットＴＵ１，ＴＵ２，…（以下、そのうちの１つを代表して通信ユニットＴＵという）とを有する。これら１つのエリア制御部１１と複数の通信ユニットＴＵ１，ＴＵ２，…とが特定の無線ネットワーク識別番号を用いる無線伝送路１２を介して通信可能になっている。複数のエリア制御部１１を用いる場合には、各エリア制御部１１に異なる無線ネットワーク識別番号を用いる無線伝送路を構築すればよい。
【００１９】
各通信ユニットＴＵには有線伝送路１３が有線接続され、この有線伝送路１３にエリア制御部１１によって制御される複数の端末が有線接続されている。本実施の形態においては、各端末として、照明器具Ｋ、人感センサＳＳ、照度センサＳＬ及び壁スイッチＳＷが採用された例を示している。
【００２０】
エリア制御部１１は、通信ユニットＴＵに接続された各端末との間で情報を授受を行い、照明器具Ｋの点滅制御及び調光制御等を行うようになっている。設定装置１４はユーザ操作を受け付けるための図示しない入力部を有している。設定装置１４は無線通信等、例えば赤外線通信等を利用してエリア制御部１１と通信を行い、ユーザ操作に基づく信号をエリア制御部１１に与えて、エリア制御部１１の設定を行うことができるようになっている。
【００２１】
図２はこれらの各端末の実際の配置例を示している。図２は室内を平面的に示しており、天井には略等間隔に、丸印にて示す４列×４＝１６個の照明器具Ｋ１乃至Ｋ１６（そのうちの１つを代表して照明器具Ｋという）が配置されていることを示している。図２の紙面左側は、窓に面し、右側は通路に面しているものとする。
【００２２】
図２では照度センサＳＬとして２つの照度センサＳＬ１，ＳＬ２を用いた例を示している。照度センサＳＬ１は窓側に設けられ、照度センサＳＬ２は通路側に設けられている。また、壁スイッチＳＷとして２つの壁スイッチＳＷ１，ＳＷ２を設けた例を示している。これらの壁スイッチＳＷ１，ＳＷ２は通路側の図示しない出入り口近傍の壁に配設されている。なお、図２では人感センサＳＳは省略した例を示している。
【００２３】
本実施の形態においては、１つ以上の端末によってグループを構成し、制御の開始及び停止を同時に行う複数のグループをゾーンとして規定する。また、ゾーンによって制御が開始されたグループに対して、具体的な制御の内容を適用するグループをリンクとして規定する。即ち、ゾーンによって点滅区分を設定することができ、リンクによって調光区分を設定することが可能である。
【００２４】
図２では、窓側の破線にて囲った２つの照明器具Ｋ１，Ｋ２によってグループＧ１が構成され、照明器具Ｋ３，Ｋ４によってグループＧ２が構成される例を示している。また通路側の照明器具Ｋ５〜Ｋ１０によってグループＧ３が構成され、照明器具Ｋ１１〜Ｋ１６によってグループＧ４が構成される。さらに、照度センサＳＬ１によってグループＧ５、照度センサＳＬ２によってグループＧ６が構成される。そして、グループＧ１，Ｇ３によってゾーンＺ１が構成され、グループＧ２，Ｇ４によってゾーンＺ２が構成される。また、グループＧ１，Ｇ２，Ｇ５によってリンクＬ１が構成され、グループＧ３，Ｇ４，Ｇ５によってリンクＬ２が構成される。
【００２５】
本実施の形態においては、壁スイッチＳＷ１，ＳＷ２に対応させてゾーンを規定し、照度センサＳＬ１，ＳＬ２に対応させてリンクを規定する例について説明する。
【００２６】
下記表１は壁スイッチとグループとの関係を規定するゾーンデータを示し、下記表２は照度センサとグループとの関係を規定するリンクデータを示している。
【００２７】
表１
ゾーン      壁スイッチ      属するグループ
Ｚ１          ＳＷ１          Ｇ１，Ｇ３
Ｚ２          ＳＷ２          Ｇ２，Ｇ４
表２
リンク        属するグループ
Ｌ１        Ｇ１，Ｇ２，Ｇ５
Ｌ２        Ｇ３，Ｇ４，Ｇ６
本実施の形態においては、後述するように、壁スイッチＳＷ１を操作することで、ゾーンＺ１に属するグループＧ１，Ｇ３内の照明器具をオンオフ制御し、壁スイッチＳＷ２を操作することで、ゾーンＺ２に属するグループＧ２，Ｇ４内の各照明器具Ｋをオンオフ制御するようになっている。また、照度センサＳＬ１の検出結果に基づいて、リンクＬ１に属するグループＧ１，Ｇ２内の照明器具Ｋを調光制御し、照度センサＳＬ２の検出結果に基づいて、リンクＬ２に属するグループＧ３，Ｇ４内の各照明器具Ｋを調光制御するようになっている。
【００２８】
この場合において、本実施の形態においては、上記表１及び表２に示すゾーンデータ及びリンクデータの変更のみによって、ゾーン及びリンクを変更して、実際の配線等を変更することなく、点滅区分及び調光区分を簡単に変更することが可能である。
【００２９】
次に、図３乃至図８を参照して照明制御システムの各端末について説明する。図３乃至図８は夫々図１中の照明器具Ｋ、照度センサＳＬ、壁スイッチＳＷ、設定装置１４、エリア制御部１１及び通信ユニットＴＵの具体的な構成を示すブロック図である。
【００３０】
図３において、照明器具Ｋは、有線伝送路１３を介して通信ユニットＴＵと有線通信する通信部２１を備える。また、照明器具Ｋは、光源としての図示しないランプの点灯、消灯や調光点灯を制御するインバータ２４及びエリア制御部１１からの指令に従ってインバータ２４によりランプの点灯状態を制御する制御部２２を有している。メモリ２３には各照明器具Ｋのアドレス、グループ番号及び調光率の情報が記憶されるようになっている。制御部２２は、メモリ２３の内容を通信部２１を介して有線伝送路１３に送信すると共に、有線伝送路１３を介して伝送された照明制御信号に基づいてインバータ２４を制御するようになっている。
【００３１】
図４において、照度センサＳＬは、有線伝送路１３を介して通信ユニットＴＵと有線通信する通信部３１を備える。また、照度センサＳＬは、周囲光の照度を検出する検出部３４を有している。制御部３２はエリア制御部１１からの指令に従って検出部３４を制御する。メモリ３３には各照度センサＳＬのアドレス及び検出した照度値の情報が記憶されるようになっている。制御部３２は、メモリ３３の内容を通信部３１を介して有線伝送路１３に送信するようになっている。
【００３２】
なお、図示しない人感センサＳＳの構成も図４の照度センサＳＬと同様である。
【００３３】
図５において、壁スイッチＳＷは、有線伝送路１３を介して通信ユニットＴＵと有線通信する通信部４１を備える。また、壁スイッチＳＷは、ボタン部４４及びＬＥＤ表示部４５を有する。制御部４２は、ボタン部４４のボタンの状態を検出すると共に、検出結果を通信部４１を介して有線伝送路１３に送信すると共に、ＬＥＤ表示部４５に与えて現在の操作状態を示す表示を行う。なお、メモリ４３には各壁スイッチＳＷのアドレス及び押されたボタン番号の情報が記憶されるようになっている。
【００３４】
図６において、設定装置１４は、所定の無線伝送路を介してエリア制御部１１と通信する通信部５１を備える。また、設定装置１４は、ボタン部５４及びＬＣＤ表示部５５を有する。制御部５２は、ボタン部５４のボタンの状態を検出すると共に、検出結果を通信部５１を介してエリア制御部１１に送信すると共に、ＬＣＤ表示部５５に与えて現在の操作状態を示す表示を行う。なお、メモリ５３にはエリア制御部１１の各種設定情報が記憶されるようになっている。
【００３５】
図７において、エリア制御部１１は、無線伝送路１２を介して通信ユニットＴＵと無線通信する通信部６１を備える。また、エリア制御部１１は、メモリ６３を有しており、メモリ６３には上述したゾーンデータ及びリンクデータが保持される。また、メモリ６３は、リンクデータに応じてセンサの種類の情報及び目標値の情報も保持する。
【００３６】
図８において、通信ユニットＴＵは、無線伝送路１２を介してエリア制御部１１と通信を行う通信部７１及び有線伝送路１３を介して各端末と通信を行う通信部７４を有している。制御部７２は、通信部７１，７４を制御して、例えば、無線伝送路１２の通信指令や通信データと有線伝送路１３の通信指令や通信データとを相互に変換して、エリア制御部１１と各端末との通信を中継する。制御部７２は、有線伝送路１３に接続されている端末に予め登録されている制御指令（アドレス要求指令）を発行し、端末から応答として得られる端末に予め設定されている例えば製造時に製造工場で書き込んでおくＭＡＣアドレスなどの固有のアドレス（アドレス応答）を取得するとともに、その端末に対して無線伝送路１２側で用いる固有のアドレス（例えばエリア制御部１１内にカウンタを用意し、１台の端末を登録するとカウントアップするようにし、カウンタ値を固有アドレスとして設定する）を自動的に割り付ける、メモリ７３にこれらアドレスを対応付けして保存登録する機能を有している。
【００３７】
次に、このように構成された実施の形態の作用について説明する。
【００３８】
エリア制御部１１と各通信ユニットＴＵとは無線伝送路１２を介して無線通信し、また、通信ユニットＴＵと各端末とは有線伝送路１３を介して有線通信する。いま、例えば、壁スイッチＳＷ１のグループＧ１，Ｇ３の照明器具Ｋ１，Ｋ２，Ｋ５〜Ｋ１０をオンにするためのボタンが操作されるものとする。壁スイッチＳＷ１は、自身のアドレスとボタン番号の情報を有線伝送路１３を介して送信する。通信ユニットＴＵは壁スイッチＳＷ１からの送信データを無線伝送路１２を介してエリア制御部１１に転送する。
【００３９】
エリア制御部１１は、入力された情報に基づいて、上記表１のゾーンデータを検索する。これにより、壁スイッチＳＷ１の操作によってゾーンＺ１が指定されたものと判定する。エリア制御部１１は、ゾーンデータからゾーンＺ１に属するグループを判断し、そのグループに対して、照明器具をオンにさせるための照明制御信号を出力する。
【００４０】
エリア制御部１１からの照明制御信号は、グループを示す情報と共に、無線伝送路１２を介して送信される。通信ユニットＴＵは、エリア制御部１１からの信号を有線伝送路１３に転送する。有線伝送路１３に接続された照明器具Ｋのうち、グループＧ１，Ｇ３に属する各照明器具は、自己に対する照明制御信号を受信し、照明制御信号に応じてインバータ２４を制御して、照明を点灯させる。
【００４１】
こうして、壁スイッチＳＷ１，ＳＷ２を操作することで、ゾーンデータに登録されているゾーン単位で、照明器具Ｋの点滅を制御することができる。即ち、点滅区分はゾーンデータによって指定されることになり、実際の配線を変更することなく、ゾーンデータを変更することで、点滅区分を容易に変更可能である。
【００４２】
一方、照度センサＳＬ１，ＳＬ２は周囲の照度を検出し、所定周期又は検出した照度値の変化が比較的大きい場合に検出結果を出力している。いま、窓の外から光が入射することによって、窓側の照度センサＳＬ１によって、周囲照度が比較的明るいなったことが検出されるものとする。照度センサＳＬ１は自器のアドレス及び照度値を有線伝送路１３に送信する。通信ユニットＴＳは有線伝送路１３に送信された照度センサＳＬ１の出力を、無線伝送路１２を介してエリア制御部１１に出力する。
【００４３】
エリア制御部１１は、入力された情報に基づいて、上記表２のリンクデータを検索する。これにより、照度センサＳＬ１からの検出結果によってリンクＬ１に対して制御を行うことを判定する。エリア制御部１１は、リンクデータからリンクＬ１に属するグループを判断し、そのグループＧ１，Ｇ２に対して、照明器具Ｋを調光制御するための調光信号を出力する。
【００４４】
なお、エリア制御部１１は、照度センサＳＬ１からの照度値を目標の明るさと比較することで調光信号を発生している。例えば、エリア制御部１１は、検出した照度値が目標値よりも明るいことを示す値である場合には、照明を暗くするための調光信号を出力し、暗いことを示す値である場合には、照明を明るくするための調光信号を出力する。
【００４５】
エリア制御部１１からの調光信号は、グループを示す情報と共に、無線伝送路１２を介して送信される。通信ユニットＴＵは、エリア制御部１１からの調光信号を有線伝送路１３に転送する。有線伝送路１３に接続された照明器具Ｋのうち、グループＧ１，Ｇ２に属する照明器具は、自己に対する調光信号を受信して、調光信号に応じてインバータ２４を制御して、照明の調光を制御する。
【００４６】
こうして、照度センサＳＬの検出結果を用いることで、リンクデータに登録されているリンク単位で、照明器具Ｋの調光を制御することができる。即ち、調光区分はリンクデータによって指定されることになり、リンクデータを変更することで、実際の配線を変更することなく、調光区分を容易に変更可能である。
【００４７】
なお、人感センサを用いる場合においても、同様の制御が可能である。例えば、壁スイッチＳＷによって点灯が指示されたゾーンの照明器具Ｋについては、更に人感センサＳＳの検出結果に基づいて、オン，オフが制御される。即ち、人感センサＳＳによって近傍に人が存在すると判断された場合には、エリア制御部１１は、対応するリンクで規定されたグループに対して点灯させるための照明制御信号を出力し、近傍に人が存在しないと判断された場合には、エリア制御部１１は、対応するリンクで規定されたグループに対して消灯させるための照明制御信号を出力する。
【００４８】
また、本実施の形態では、１つずつの照度センサＳＬ１，ＳＬ２によってそれぞれグループＧ５，Ｇ６が構成されているが、複数の照度センサ又は複数の人感センサを１つのグループとしてもよい。
【００４９】
このように本実施の形態においては、有線伝送路１３に接続されている端末を、無線伝送路１２を介してエリア制御部１１によって制御することができることから、エリア制御部１１と端末との直接的な配線を削減してエリア制御部１１や通信ユニットＴＵの設置の自由度を高くすることができる。また、通信ユニットＴＵを無線伝送路１２を通じて通信可能な場所に設置さえすれば有線伝送路１３を通じて各端末をエリア制御部１１から確実に制御できる。
【００５０】
また、壁スイッチに対応したゾーンデータを設けることで、ゾーンデータの変更によって点滅区分を決定することができる。また、センサに対応したリンクデータを設けることで、リンクデータの変更によって調光区分を決定することができる。そして、ゾーンデータ及びリンクデータを変更することで、実際の配線等を変更することなく、簡単に点滅区分及び調光区分を変更することができる。
【００５１】
図９は本発明の第２の実施の形態を示すブロック図である。図９において図７と同一の構成要素には同一符号を付して説明を省略する。本実施の形態は、スケジュール制御機能とセンサ制御機能とを組み合わせることによって、例えば季節の変化等に応じて有効な照明制御を実現するものである。
【００５２】
第１の実施の形態においては、照度センサＳＬの検出結果に基づいてリンク内の各グループに同一の制御を行った。しかし、照度センサＳＬの設置場所や、設定等が一定であることから、時間経過や季節によって太陽光の入射する範囲が変化するにも拘わらず、調光制御する範囲が変化しないので、季節や時間に応じて適正な照度を提供することができなくなるエリアが生じる。
【００５３】
そこで、本実施の形態においては、リンクデータを複数設け、所定のスケジュールに従ってリンクデータを選択することで、全領域に渡って適正な照度制御を行うことを可能にしている。本実施の形態は、エリア制御部として図９のエリア制御部を採用した点が第１の実施の形態と異なる。
【００５４】
図９のエリア制御部はリンクデータ選択部８２及びスケジュール処理部８３を有する制御部８１を採用すると共に、メモリ８４を採用した点が図７のエリア制御部１１と異なる。メモリ８４は、ゾーンデータを記憶するゾーンデータ領域、複数のリンクデータを記憶するリンクデータ領域及びスケジュールを記憶するスケジュール領域を有している。
【００５５】
各リンクデータは、例えば窓側からの光の入射範囲の変化に応じて異なる範囲のグループを制御するためのリンクが規定されている。例えば、図１０に示すように、Ｋ１およびＫ２、Ｋ３およびＫ４、Ｋ５およびＫ６、Ｋ７およびＫ８、Ｋ９およびＫ１０、Ｋ１１およびＫ１２、Ｋ１３およびＫ１４、Ｋ１５およびＫ１６、をそれぞれ１つのグループＧ１０、Ｇ１１、Ｇ１２、Ｇ１３、Ｇ１４、Ｇ１５、Ｇ１６、Ｇ１７、となるようにグループを細分化する。そして、Ｇ１０、Ｇ１１、Ｇ５を含むリンクＬ１０、Ｇ１０、Ｇ１１、Ｇ１２、Ｇ５を含むリンクＬ１１、Ｇ１０、Ｇ１１、Ｇ１２、Ｇ１３、Ｇ５を含むリンクＬ１２等を設定可能にする。
【００５６】
そして、例えば、図９のリンク制御部は、照度センサＳＬ１によって、これらの各リンク内の照明器具を調光制御する。図９のリンクデータ選択部８２は、スケジュール処理部８３に制御されて、メモリ８４内のいずれのリンクデータを選択するかを決定する。スケジュール処理部８３は、メモリ８４に格納されたスケジュールを読み出して、現在の日時との比較によって、リンクデータを選択するの制御信号をリンクデータ選択部８２に出力する。制御部８１の他の制御は、第１の実施の形態のエリア制御部１１と同様である。
【００５７】
このように構成された実施の形態においては、スケジュール処理部８３によってスケジュールに応じたリンクデータが選択される。時間や季節に応じて複数のリンクデータを設定し、スケジュールに応じて適宜のリンクデータを選択することで、最適な調光制御を可能にする。
【００５８】
例えば、冬場は太陽光の差込角度が狭く太陽光が入射するエリアが広くなるので、窓側の照度センサＳＬ１によって制御される領域を広くしたリンクを設定する。逆に、夏場は、窓側の照度センサＳＬ１によって制御される領域を狭くしたリンクを設定する。
【００５９】
また、夜間は昼光利用を行う必要が無いことから、例えば所定エリアの全ての照度センサを１つのグループに構成し、対応する照明器具Ｋからなるグループを対応付けたリンクデータを作成し、照明器具Ｋの調光制御を行う。また、季節によって夜間と認識する時間が異なるので、季節及び時間に応じて用いるリンクデータを切換える。
【００６０】
このように本実施の形態においては、複数のリンクデータを用いて、スケジュールに応じてリンクデータを切換えることで、季節等を考慮した照明制御が可能である。例えば、季節や時間による太陽光の変化に対応した適正照度制御や、人感制御を実現することができる。
【図面の簡単な説明】
【００６１】
【図１】第１の実施の形態に係る照明制御装置が組込まれた照明制御システムの構成を示す構成図。
【図２】図１の照明制御システムの各端末の配置を説明するための説明図。
【図３】図１中の照明器具Ｋの具体的な構成を示すブロック図。
【図４】図１中の照度センサＳＬの具体的な構成を示すブロック図。
【図５】図１中の壁スイッチＳＷの具体的な構成を示すブロック図。
【図６】図１中の設定装置１４の具体的な構成を示すブロック図。
【図７】図１中のエリア制御部１１の具体的な構成を示すブロック図。
【図８】図１中の通信ユニットＴＵの具体的な構成を示すブロック図。
【図９】本発明の第２の実施の形態を示すブロック図。
【図１０】本発明の第２の実施の形態の照明制御装置の各端末の配置を説明するための説明図。
【符号の説明】
【００６２】
１１…エリア制御部
１２…無線伝送路
１３…有線伝送路
ＴＵ…通信ユニット
Ｋ…照明器具
ＳＳ…人感センサ
ＳＬ…照度センサ
ＳＷ…壁スイッチ
【図１】
2009021141.tif 000003
【図２】
2009021141.tif 000004
【図３】
2009021141.tif 000005
【図４】
2009021141.tif 000006
【図５】
2009021141.tif 000007
【図６】
2009021141.tif 000008
【図７】
2009021141.tif 000009
【図８】
2009021141.tif 000010
【図９】
2009021141.tif 000011
【図１０】
2009021141.tif 000012